(57)【要約】【課題】配送情報と共に特典等の任意情報を印刷でき、しかも印刷された任意情報の複製を困難にする配送伝票を提供する。【解決手段】配送伝票１００は、配送先を特定する情報を含んだ配送情報を印刷可能な配送情報印刷領域１１０と、配送情報と紐付いた任意の情報である任意情報を印刷可能な第１，第２任意情報印刷領域１２１，１２２と、を備え、少なくとも、第１，第２任意情報印刷領域１２１，１２２には、複写装置で印刷面を複写すると潜像が現れる偽造防止印刷１３０を施した。【選択図】図１
0003228470.tif 000002
【実用新案登録請求の範囲】
【請求項１】
配送先を特定する情報を含んだ配送情報を印刷可能な配送情報印刷領域と、
前記配送情報と紐付いた任意の情報である任意情報を印刷可能な任意情報印刷領域と、
を備え、
少なくとも、前記任意情報印刷領域には、複写装置で印刷面を複写すると潜像が現れる偽造防止印刷を施すようにしたことを特徴とする配送伝票。
【請求項２】
前記任意情報印刷領域を複数設け、内容が異なる前記任意情報を夫々分けて印刷できるようにしたことを特徴とする請求項１に記載の配送伝票。
【請求項３】
前記配送情報と紐付いた情報であって、複写を許容する複写許容情報を印刷可能な複写許容情報印刷領域を設けたことを特徴とする請求項１又は請求項２に記載の配送伝票。
【請求項４】
前記任意情報印刷領域に施す偽造防止印刷は、
前記複写装置で再現可能な大きい点の集合体もしくは線群と、複写再現能力に満たない小さい点の集合体もしくは線群を組み合わせた偽造防止印刷を有彩色の第１のインキで形成すると共に、前記第１のインキと異なる有彩色の第２のインキで複写再現能力に満たない小さい点の集合体である平網を潜像とその背景となる領域に刷り合わせて、目視上、無彩色となるようにしたことを特徴とする請求項１〜請求項３の何れか１項に記載の配送伝票。
【請求項５】
前記任意情報印刷領域に施す偽造防止印刷は、
前記複写装置による複写再現能力に満たない小さい点で形成された図柄本体部と、この図柄本体部の背景であって、前記図柄本体部と共通した前記小さい点で、同じ面積率で形成される図柄背景部と、光が当たっているように見せることで前記図柄本体部が浮き出ているように感じさせる光当部と、影であるように見せることで前記図柄本体部が浮き出ているように感じさせる影部と、から構成され、全体として立体的な図柄が二次元平面で表現されるレリーフ調模様と、
前記複写装置により再現可能な大きい点の集合体又は線群と、を、
前記図柄本体部及び前記図柄背景部の面積率と、前記複写装置で再現可能な大きい点の集合体又は線群の面積率とを略一致させ、同一面上で組み合わせて構成するようにしたことを特徴とする請求項１〜請求項３の何れか１項に記載の配送伝票。
【考案の詳細な説明】
【技術分野】
【０００１】
本考案は、通販会社や小売店などが配送商品を配送会社へ委託するために、梱包箱等に貼付する配送伝票に関する。
【背景技術】
【０００２】
大手の通販会社などでは、大量の配送荷物を短時間で処理し、配送会社へ委託する必要があるため、購入者である配送先の情報と購入品などを紐付けて管理するシステムを導入しており、配送伝票への情報印刷も効率的に行うことができる。しかし、購入者への特典（割引券やクーポン券など）は、配送伝票とは別に扱わなければならないため、配送品に同梱しなければならなかった特典を入れ忘れたり、別の購入者宛の配送品と同梱してしまうようなミスが起きていた。
【０００３】
このようなミスを防ぐため、ポイント券や割引券などの特典情報を配送先情報などと一緒に印刷できるようにした配送伝票が提案されている（例えば、特許文献１を参照）。特許文献１に記載の配送伝票には、配送情報記入部と分離可能な情報印字部が設けられており、この情報印字部に荷受人向けの固有の情報を印字することで、ポイント券や割引券などの特典となる。したがって、特許文献１に記載の配送伝票においては、荷受人向けの特典が配送先情報と一体になった配送伝票を用いて梱包作業等を行うことができ、ポイント券や割引券等の特典を梱包し忘れたり、誤配送してしまったりするミスを効果的に抑制できる。
【先行技術文献】
【特許文献】
【０００４】
【特許文献１】特許第４４９７４３９号公報
【考案の概要】
【考案が解決しようとする課題】
【０００５】
しかしながら、特許文献１に記載の配送伝票で作成したポイント券や割引券等の特典は、配送情報記入部と同じ紙面に設けられた情報印字部を使って印字されたものであるため、特別な偽造防止措置が執られていない。すなわち、近来の複写装置（コピー機やスキャナなど）は、読取解像度も印刷解像度も高いため、見た目に違和感の無い複製を行うことが可能であるから、ポイント券や割引券などの特典が偽造されてしまう危険性がある。
【０００６】
そこで、本考案は、配送情報と共に特典等の任意情報を印刷でき、しかも印刷された任意情報の複製を困難にする配送伝票の提供を目的とする。
【課題を解決するための手段】
【０００７】
上記の課題を解決するために、本構成の配送伝票は、配送先を特定する情報を含んだ配送情報を印刷可能な配送情報印刷領域と、前記配送情報と紐付いた任意の情報である任意情報を印刷可能な任意情報印刷領域と、を備え、少なくとも、前記任意情報印刷領域には、複写装置で印刷面を複写すると潜像が現れる偽造防止印刷を施すようにしたことを特徴とする。
【０００８】
また、上記構成において、前記任意情報印刷領域を複数設け、内容が異なる前記任意情報を夫々分けて印刷できるようにしても良い。
【０００９】
前記配送情報と紐付いた情報であって、複写を許容する複写許容情報を印刷可能な複写許容情報印刷領域を設けても良い。
【００１０】
また、上記構成において、前記任意情報印刷領域に施す偽造防止印刷は、前記複写装置で再現可能な大きい点の集合体もしくは線群と、複写再現能力に満たない小さい点の集合体もしくは線群を組み合わせた偽造防止印刷を有彩色の第１のインキで形成すると共に、前記第１のインキと異なる有彩色の第２のインキで複写再現能力に満たない小さい点の集合体である平網を潜像とその背景となる領域に刷り合わせて、目視上、無彩色となるようにしても良い。
【００１１】
また、上記構成において、前記任意情報印刷領域に施す偽造防止印刷は、前記複写装置による複写再現能力に満たない小さい点で形成された図柄本体部と、この図柄本体部の背景であって、前記図柄本体部と共通した前記小さい点で、同じ面積率で形成される図柄背景部と、光が当たっているように見せることで前記図柄本体部が浮き出ているように感じさせる光当部と、影であるように見せることで前記図柄本体部が浮き出ているように感じさせる影部と、から構成され、全体として立体的な図柄が二次元平面で表現されるレリーフ調模様と、前記複写装置により再現可能な大きい点の集合体又は線群と、を、前記図柄本体部及び前記図柄背景部の面積率と、前記複写装置で再現可能な大きい点の集合体又は線群の面積率とを略一致させ、同一面上で組み合わせて構成するようにしても良い。
【考案の効果】
【００１２】
本考案に係る配送伝票によれば、配送情報と紐付いた任意の情報である任意情報を印刷可能な任意情報印刷領域には、複写装置で印刷面を複写すると潜像が現れる偽造防止印刷を施すようにしたので、任意情報印刷領域の複製が困難になる。したがって、ポイント券や割引券などの特典として使える任意情報を任意情報印刷領域に印刷すれば、その特典が偽造されてしまうことを防止できる。
【図面の簡単な説明】
【００１３】
【図１】（Ａ）は第１実施形態に係る配送伝票の印刷面を示す外観図である。（Ｂ）は図１（Ａ）の配送伝票を標準的な複写装置で複写した複写面を示す外観図である。
【図２】（Ａ）は第１実施形態に係る配送伝票に諸情報を印刷した後の印刷面を示す外観図である。（Ｂ）は図２（Ａ）の配送伝票を標準的な複写装置で複写した複写面を示す外観図である。
【図３】第１実施形態に係る配送伝票を用いた梱包工程の説明図である。
【図４】（Ａ）は第２実施形態に係る配送伝票の印刷面を示す外観図である。（Ｂ）は図４（Ａ）の配送伝票を標準的な複写装置で複写した複写面を示す外観図である。
【図５】従来の「これまでの印刷方法」（左段）と、本偽造防止印刷技術による「コピーで赤色の潜像が出る印刷方法」（中央段）と、本偽造防止印刷技術による「コピーで緑色の潜像が出る印刷方法」（右段）を簡略的にそれぞれ示すと共に、カラーコピーの結果を付記した工程図である。
【図６】従来の「これまでの印刷方法」（左段）と、本偽造防止印刷技術による「イラスト版に偽造防止版を組み込む方法」（右段）を簡略的にそれぞれ示すと共に、カラーコピーの結果を付記した工程図である。
【図７】従来の「これまでの印刷方法」（左段）と、本偽造防止印刷技術による「地紋版に刷り合わせ版を組み込む方法」（右段）を簡略的にそれぞれ示すと共に、カラーコピーの結果を付記した工程図である。
【図８】従来の「これまでの印刷方法」（左段）と、本偽造防止印刷技術による「イラスト版に偽造防止版を組み込み、且つ地紋版に刷り合わせ版を組み込む方法」（右段）を簡略的にそれぞれ示すと共に、カラーコピーの結果を付記した工程図である。
【図９】第２の偽造防止印刷技術により偽造防止印刷物を作成するプロセスの一部であって、同一面上で組み合わせる一方であるレリーフ調模様（組合せ用エンボス画像）を用意するプロセスを説明する説明図である。
【図１０】第２の偽造防止印刷技術により偽造防止印刷物を作成するプロセスの他の一部であって、同一面上で組み合わせる他方である複写装置で再現可能な線群（組合せ用潜像画像）を用意するプロセスを説明する説明図である。
【図１１】第２の偽造防止印刷技術により偽造防止印刷物を作成するプロセスの要部であって、図９に示すレリーフ調模様（組合せ用エンボス画像）及び図１０に示す複写装置で再現可能な線群（組合せ用潜像画像）から、偽造防止印刷物を作成するに至るプロセスを説明する説明図である。
【考案を実施するための形態】
【００１４】
以下、本考案に係る配送伝票の実施形態を添付図面に基づいて説明する。図１（Ａ）に示すのは、第１実施形態に係る配送伝票１００である。配送伝票１００には、配送先を特定する情報を含んだ配送情報を印刷可能な配送情報印刷領域１１０を設ける。配送情報とは、例えば、届け先の情報（住所、氏名、電話番号など）、依頼者の情報（住所、氏名、電話番号など）、荷物の中身・個数などである。
【００１５】
配送情報印刷領域１１０と第１分割線１０１で区画された第１任意情報印刷領域１２１、この第１任意情報印刷領域１２１と第２分割線１０２で区画された第２任意情報印刷領域１２２は、配送情報と紐付いた任意の情報である任意情報を印刷可能な領域である。任意情報の内容は特に限定されないが、複写装置によって容易に複製されることを忌避したい内容の情報（例えば、届け先の者へ限定的に与えたいポイント券や割引券などの特典情報）とすることが望ましい。第１，第２分割線１０１，１０２は、切り離し可能なミシン目で構成することができ、任意のタイミングで配送情報印刷領域１１０と第１，第２任意情報印刷領域１２１，１２２を分離できる。このように、第１任意情報印刷領域１２１と第２任意情報印刷領域１２２は容易に分離できるので、使用目的に応じた異なる任意情報を、第１任意情報印刷領域１２１と第２任意情報印刷領域１２２にそれぞれ印刷しておいても良い。
【００１６】
配送伝票１００の裏面側には、接着剤層を設けてあり、接着材層を保護する剥離紙を剥がすと、配送伝票１００を適当な箇所に貼り付けることができる。なお、接着材層は、少なくとも配送情報印刷領域１１０の裏面側に形成されていれば良く、第１，第２任意情報印刷領域１２１，１２２の裏面側に接着剤層を設けなくても良い。また、配送伝票１００に設ける任意情報印刷領域は２つに限らず、３つ以上の任意情報印刷領域を設けても良いし、１つの任意情報印刷領域だけ設けるようにしても良い。
【００１７】
第１，第２任意情報印刷領域１２１，１２２の印刷面には、複写装置で印刷面を複写すると潜像が現れる偽造防止印刷１３０を施してある。偽造防止印刷１３０は、標準的な複写装置で複写したときに、オリジナルの印刷面を再現できない印刷技術を用いる。例えば、大小のドットで目視し難い文字や地紋を予め構成しておき、これをコピーやスキャンすると、その埋め込まれた文字や地紋が目立って出力される印刷技術を適用できる。また、複写によってカラーの文字や地紋を浮き上がらせる偽造防止印刷技術（後に詳述）や、レリーフ調のエンボス模様を浮き上がらせる偽造防止印刷技術（後に詳述）によって、偽造防止印刷１３０を施しても良い。
【００１８】
偽造防止印刷１３０を施しておくことにより、配送伝票１００を複写装置で複製した配送伝票コピー１００′においては、図１（Ｂ）に示すように、第１，第２任意情報印刷領域１２１，１２２の印刷面が再現されず、背景１３１に潜像１３２が浮き出た状態となる。したがって、第１，第２任意情報印刷領域１２１，１２２の印刷面を見れば、オリジナルの配送伝票１００と配送伝票コピー１００′を簡単に見分けることができる。
【００１９】
図２（Ａ）に示すように、配送伝票１００に諸情報を印刷した印刷済み配送伝票１００Ｐでは、第１任意情報印刷領域１２１に特典情報を印刷し、第２任意情報印刷領域１２２に「お買い上げ明細書」や「特典のお知らせ」を印刷してある。第１任意情報印刷領域１２１に印刷される特典情報は、ポイント券や割引券、催し物への入場チケット、入場特典引換券など、届け先の者へ限定的に与えたい特典に関するものである。
【００２０】
印刷済み配送伝票１００Ｐは、図３に示すように、届け先への配送物を梱包する作業工程において、第１分割線１０１で分割し、第１，第２任意情報印刷領域１２１，１２２は配送箱ＣＢ内に封入し、配送情報印刷領域１１０は配送箱ＣＢの外に貼り付ける。このように、配送情報と任意情報とが一体になった印刷済み配送伝票１００Ｐを用いて梱包作業を行えば、ポイント券や割引券等の特典となる第１，第２任意情報印刷領域１２１，１２２を梱包し忘れたり、誤配送してしまったりするミスを効果的に抑制できる。
【００２１】
しかも、第１，第２任意情報印刷領域１２１，１２２には偽造防止印刷１３０を施してあるので、印刷済み配送伝票１００Ｐを複写装置で複製した印刷済み配送伝票コピー１００Ｐ′においては、図２（Ｂ）に示すように、背景１３１に潜像１３２が浮き出た状態となる。すなわち、第１，第２任意情報印刷領域１２１，１２２の印刷面を見れば、オリジナルの印刷済み配送伝票１００Ｐと印刷済み配送伝票コピー１００Ｐ′を簡単に見分けられるのである。したがって、印刷済み配送伝票１００Ｐの第１，第２任意情報印刷領域１２１，１２２を受け取った者が、第１任意情報印刷領域１２１を複写して特典を偽造することは困難となる。
【００２２】
上述した第１実施形態の配送伝票１００においては、偽造防止印刷１３０を施した第２任意情報印刷領域１２２に偽造防止の必要が無い任意情報（お買い上げ明細書など）を印刷するものとした。しかしながら、偽造防止の必要が無い情報を印刷する領域にまで偽造防止印刷１３０を施してしまうのは無駄である。
【００２３】
そこで、図４（Ａ）に示す第２実施形態の配送伝票２００には、配送情報印刷領域２１１と第１分割線２０１で区画された複写許容情報印刷領域２１２（複写を許容する複写許容情報を印刷可能な領域）を設け、この複写許容情報印刷領域２１２と第２分割線２０２で区画された任意情報印刷領域２２０を設ける。任意情報印刷領域２２０の印刷面には、複写装置で印刷面を複写すると潜像が現れる偽造防止印刷２３０を施すが、複写許容情報印刷領域２１２の印刷面には偽造防止印刷２３０を施さない。
【００２４】
複写許容情報印刷領域２１２には、配送情報と紐付いた任意の情報であって、複製されても不具合のない情報である複写許容情報を印刷する。複写許容情報印刷領域２１２に印刷する複写許容情報は、例えば、「お買い上げ明細書」や「配送商品の注意事項」などの送付先の者に向けた情報のほか、梱包作業の前に配送品を揃えるために使う「ピックアップリスト」などの発送元で使う情報でも構わない。
【００２５】
配送伝票２００を複写装置で複製した配送伝票コピー２００′においては、図４（Ｂ）に示すように、任意情報印刷領域２２０の印刷面は再現されず、背景２３１に潜像２３２が浮き出た状態となる。したがって、任意情報印刷領域２２０の印刷面を見れば、オリジナルの配送伝票２００と配送伝票コピー２００′を簡単に見分けることができる。このとき、配送伝票コピー２００′における複写許容情報印刷領域２１２はオリジナルの印刷面が再現されているが、複写許容情報印刷領域２１２に印刷されるのは複写許容情報であるから問題ない。
【００２６】
次に、第１実施形態の配送伝票１００で用いる偽造防止印刷１３０や第２実施形態の配送伝票２００で用いる偽造防止印刷２３０に適用できる偽造防止印刷技術について詳述する。
【００２７】
先ず、複写によってカラーの文字や地紋を浮き上がらせる偽造防止印刷技術について、図５〜図８に基づき説明する。この偽造防止印刷技術では、製造コストを抑えるため、色数を増やさないために、地紋版やイラスト版等に偽造防止版を組み込んだり、刷り合わせ版を組み込んだり、またその両方を採用して製造する。
【００２８】
本偽造防止印刷技術による印刷手法は、基材上に複写装置で再現される大きい点の集合体もしくは線群と複写再現能力に満たない小さい点の集合体を組み合わせた偽造防止版を第１のインキで印刷する工程と、小さい点の集合体からなる刷り合わせ版を前記第１のインキと異なる色の第２のインキで印刷する工程とを必須とするものであって、例えばオフセット印刷、グラビア印刷など各種の印刷を用いることができる。
以下に、本偽造防止印刷技術による製造方法を〔１．原稿の作成〕、〔２．製版〕、〔３．刷版〕、〔４．印刷〕に分けて詳細に説明する。
【００２９】
〔１．原稿の作成〕
原則的に２色の組み合わせとなるため、原色系以外の合成色にてベース色が形成されるように設定する。
例えば合成色（ベース色）をグレーに設定すると、第１のインキとして赤系、青系を用いた場合に、第２のインキとして緑系、オレンジ系を用いることで対応可能であり、カラーコピー後に現れる赤潜像、青潜像とも色目がグレーより鮮烈に感じ取れるものとなり、偽造防止効果が良好であるため好ましい。尚、背景を第１のインキで形成してカラーコピー後に現れるようにした場合も同様である。このように、潜像を直接的に浮き出させるようにしても、背景を浮き出させて間接的に潜像を浮き出させる、即ち白抜き状態で浮き出させるようにしても良いから、以下の説明では、これらの点を含めた上で説明を簡略化するために、潜像と表記している場合は背景でも良いこと、即ち白抜き潜像を含むものとする。
【００３０】
第１のインキと第２のインキとを組み合わせた合成色（ベース色）の例を以下に示す。尚、以下の例はその一部であって、組み合わせは自由に設定できる。
第１のインキ＋第２のインキ＝合成色（ベース色）
赤      ＋    緑      ＝グレー
青      ＋  オレンジ  ＝グレー
紫      ＋    黄      ＝グレー
青      ＋    赤      ＝  紫
赤      ＋    黄      ＝オレンジ
青      ＋    黄      ＝  緑
上述の組み合わせにおいて、複写後に現れる潜像若しくは背景は第１のインキの色である赤系か青系であるが、黄及び中間色でも同様の効果は得られる。また、この第１のインキに刷り合わせる第２のインキの色としては、合成色がグレーとなる色を選択することが好ましい。
【００３１】
また、刷り合わせ版に用いる第２のインキには蛍光色を採用することが望ましい。原色系の混合では色がくすむため、合成色（ベース色）が全体に沈んだ色となり、カラーコピー後に現れる潜像の対照効果も曇り、潜像の出方も悪くなる。
【００３２】
〔２．製版〕
・偽造防止版
偽造防止版は、複写装置で再現可能な大きい点の集合体もしくは線群と複写再現能力に満たない小さい点の集合体を組み合わせた偽造防止印刷に用いられるものであって、前記第１のインキによって形成されるものであり、大きい点の集合体もしくは線群を３０〜７０線／インチで構成し、小さい点の集合体を１００〜３００線／インチの網点で構成し、その双方の面積率は５〜２５％とする事が望ましい。
上述の線数並びに面積率は、小さい点の集合体は目視は可能であっても、各種のカラーコピー機及びモノクロコピー機にて再現されず、大きい点の集合体は目視はもちろん可能であって、各種のカラーコピー機及びモノクロコピー機にても再現されるような範囲を経験的且つ実験的に得たものである。
尚、線数とは１インチ中に存在する線の本数を示し、同じ面積率の場合、線数が大きい（多い）ほど形成される点（網点ドット）は小さくなる。線数の差が大きいほど、境界が目立つ傾向がある。また、面積率は、単位面積中の網点の面積の割合を示す。
例えば１５０線１５％の平網と４２線１５％の万線をベースに作製された網点万線の偽造防止版は、平網の部分で複写再現能力に満たない小さい点の集合体が印刷でき、万線の部分で複写装置で再現可能な線群が印刷できる。
【００３３】
・刷り合わせ版
刷り合わせ版は、複写再現能力に満たない小さい点の集合体からなり、前記第２のインキにより形成されるものである。この刷り合わせ版は、前記偽造防止版における小さい点の集合体と同じ若しくは同程度の線数の平網を、モアレが発生しない角度で使用することが望ましい。
そして、偽造防止印刷と刷り合わせ印刷の面積率は５〜２５％と小さいため、印刷の刷り順による差は基本的に現れない。
【００３４】
・イラスト版や地紋版（前記偽造防止版や刷り合わせ版を兼ねない場合）
イラスト版や地紋版は対照となる印刷物において必要ない場合もあり、必要に応じて、即ち各種印刷物に応じて印刷されるものであって、従来と同様に行えば良い。
特に地紋版（白抜き地紋も含まれる）は、コピー前の印刷物において、合成色（ベース色）の色の偏りを緩和する役目を果たし、さらに潜像を見えにくくするカムフラージュの役目も果たすので、本偽造防止印刷技術の偽造防止印刷物には好適な態様である。
【００３５】
・イラスト版や地紋版（前記偽造防止版や刷り合わせ版を兼ねる場合）
イラスト版や地紋版の指定色を利用し、色数を減らすようにしても良い。例えば原稿に赤や青の原色系、及び／又は緑やオレンジ（地紋も含む）が組み込まれている場合、その色を偽造防止版や刷り合わせ版と共通の版にして、色数を減らすことが可能となる。その際、イラスト等の印刷色が薄い場合には、同色で濃度の高いインキに変更し、イラスト等に適正な網をかけて濃度を調整することが望ましい。インキの濃度はプロセス色に準じた設定で変更する。また、この色が他の色と掛け合わせになる場合はモアレが発生しない角度で使用することが望ましい。また、例えば刷り合わせ版に地紋を組み込む場合、その色が緑、オレンジなら２０％程度、また黄などの目立たない場合には５０％程度の網をかけて対応することが望ましい。
【００３６】
〔３．刷版〕
常法に準じ、従来と同様の光量、手法にて刷版を作製すればよい。
【００３７】
〔４．印刷〕
・偽造防止印刷
前記偽造防止版で前記第１のインキを用いて偽造防止印刷を行う。
【００３８】
・刷り合わせ印刷
前記刷り合わせ版で前記第２のインキを用いて刷り合わせ印刷を行う。
例えば第１のインキによる潜像が特色になる場合には、最終色を設定し、蛍光色を基本とした混色となるような第２のインキで対応することが望ましい。
また、刷り合わせ版に地紋が組み込まれる場合には、コピー結果への影響を考慮して濃度を設定する。
【００３９】
・イラスト版や地紋印刷
イラスト版や地紋版に刷り合わせ版が組み込まれている場合、コピー効果を考慮して印刷濃度を設定することが望ましい。
【００４０】
尚、本偽造防止印刷技術に適用される印刷用基材は、所定サイズに予め断裁されたシートでも、ロール巻きで供給される長尺材でも良く、例えば後者の場合には、前述の印刷工程の後、断裁用基準線を目安に、任意のサイズにて断裁処理を行えば良い。また、基材の種類についても特に限定するものではない。例えば表面の反射濃度が低いフルカラー対応コピー用紙や乳白ＰＥＴでは、色の変化がより強調されるが、一般的なＮＩＰ用紙でも、実用充分な偽造防止効果を得ることができる。
【００４１】
図５〜図８には、本偽造防止印刷技術による印刷方法の適用例と、従来の印刷方法とを対比させた工程例を示した。尚、図中では、本偽造防止印刷技術における偽造防止版を「潜像版」と表記している。また、本適用例では、効果を明確化するため、それぞれ簡易な潜像版、刷り合わせ版を用いたが、刷り合わせ版中に潜像を組み込むように、即ち刷り合わせ版として第２の潜像版を用いるようにしても良い。この場合、第１の色、第２の色の潜像を現出させることができる。さらにこのような刷り合わせ版（潜像版）を複数用いると、３色以上の潜像を現出させることができる。尚、本偽造防止印刷技術はこの適用例に限定されるものではなく、特許請求の範囲に記載した構成を変更しない限りどのようにでも実施することができる。
【００４２】
図５には、カラーコピーで赤色の潜像が現れる偽造防止印刷物を製造する本偽造防止印刷技術の方法と、カラーコピーで緑色の潜像が現れる偽造防止印刷物を製造する本偽造防止印刷技術の方法を、従来の印刷方法と対比させた工程例で示した。
まず、「これまでの印刷方法（従来型網点万線）」では、図中には記載していないが、黒系インキのみを用いて１５０線１５％の平網と４２線１５％の万線をベースに作製された網点万線の偽造防止版にてグレーに見える偽造防止印刷を行った。また、イラスト印刷及び地紋印刷は、それぞれの指定色で行った。
これに対し、本偽造防止印刷技術の適用例である「コピーで赤色の潜像が出る印刷方法」においても、本偽造防止印刷技術の適用例である「コピーで緑色の潜像が出る印刷方法」においても、従来型と同様に１５０線１５％の平網と４２線１５％の万線をベースに作製された網点万線の潜像版にて赤色、緑色の偽造防止印刷を行った。さらに、１５０線１５％の平網にて作製された刷り合わせ版にて緑色、赤色の刷り合わせ印刷を行った。また、イラスト印刷及び地紋印刷は、それぞれの指定色で行った。
同図より明らかなように本偽造防止印刷技術の適用例である「コピーで赤色の潜像が出る印刷方法」や「コピーで緑色の潜像が出る印刷方法」では、赤と緑を合わせるケースであって、この場合、合成色（ベース色）はグレーになり、でき上がり印刷物は、「これまでの印刷方法（従来型網点万線）」と見た目は全く同じであった。
そして、得られた印刷物をそれぞれカラーコピーした結果、「これまでの印刷方法（従来型網点万線）」では黒色の潜像が現れたのに対し、本偽造防止印刷技術の適用例である「コピーで赤色の潜像が出る印刷方法」では赤色の潜像が、本偽造防止印刷技術の適用例である「コピーで緑色の潜像が出る印刷方法」では緑色の潜像が現れた。また、何れのケースも潜像として「無効」の文字を選択したので、複写が行われたこと、正当なものでないことが明確に表示され、特に色の着いた潜像が現れる本偽造防止印刷技術の適用例ではより鮮明に認識されるものとなった。
【００４３】
図６には、本偽造防止印刷技術によるイラスト版に第１のインキによる偽造防止版を組み込む方法を、従来の印刷方法と対比させた工程例を示した。
まず、「これまでの印刷方法（従来型網点万線）」では、図中には記載していないが、黒系インキのみを用いて１５０線１５％の平網と４２線１５％の万線をベースに作製された網点万線の偽造防止版にてグレーに見える偽造防止印刷を行った。また、イラスト印刷は赤色で、地紋印刷は指定色で行った。
これに対し、本偽造防止印刷技術の適用例である「イラスト版に潜像版を組み込む方法」においては、イラスト版に、従来型と同様の１５０線１５％の平網と４２線１５％の万線をベースに作製された網点万線の潜像版を組み込み、赤色の偽造防止印刷を行った。さらに、１５０線１５％の平網にて作製された刷り合わせ版にて緑色の刷り合わせ印刷を行った。その後、指定色にて地紋印刷を行った。
同図より明らかなように本偽造防止印刷技術の適用例である「イラスト版に潜像版を組み込む方法」は、「これまでの印刷方法（従来型網点万線）」と同じ色数（同じ印刷回数）であって、でき上がり印刷物の見た目も全く同じであった。
そして、得られた印刷物をそれぞれカラーコピーした結果、「これまでの印刷方法（従来型網点万線」では黒色の潜像が現れたのに対し、本偽造防止印刷技術の適用例である「イラスト版に潜像版を組み込む方法」では赤色の潜像が現れた。また、潜像として「無効」の文字を選択したので、複写が行われたこと、正当なものでないことが明確に表示され、特に色の着いた潜像が現れる本偽造防止印刷技術の適用例ではより鮮明に認識されるものとなった。
このように、イラスト版に偽造防止版を組み込むことにより、前記図５の２つの適用例に比べて印刷工程を減らせることが確認された。
【００４４】
図７には、本偽造防止印刷技術による地紋版に第２のインキによる刷り合わせ版を組み込む方法を、従来の印刷方法と対比させた工程例を示した。
まず、「これまでの印刷方法（従来型網点万線）」では、図中には記載していないが、黒系インキのみを用いて１５０線１５％の平網と４２線１５％の万線をベースに作製された網点万線の偽造防止版にてグレーに見える偽造防止印刷を行った。また、イラスト印刷は指定色で、地紋印刷は緑色で行った。
これに対し、本偽造防止印刷技術の適用例である「地紋版に刷り合わせ版を組み込む方法」においては、指定色でイラスト印刷した後、従来型と同様に１５０線１５％の平網と４２線１５％の万線をベースに作製された網点万線の潜像版にて赤色の偽造防止印刷を行った。さらに、地紋版に、１５０線１５％の平網からなる刷り合わせ版を組み込み、緑色の刷り合わせ印刷を行った。
同図より明らかなように、本偽造防止印刷技術の適用例である「地紋版に刷り合わせ版を組み込む方法」は、「これまでの印刷方法（従来型網点万線）」と同じ色数（同じ印刷回数）であって、でき上がり印刷物の見た目も全く同じであった。
そして、得られた印刷物をそれぞれカラーコピーした結果、「これまでの印刷方法（従来型網点万線」では黒色の潜像が現れたのに対し、本偽造防止印刷技術の適用例である「地紋版に刷り合わせ版を組み込む方法」では赤色の潜像が現れた。また、潜像として「無効」の文字を選択したので、複写が行われたこと、正当なものでないことが明確に表示され、特に色の着いた潜像が現れる本偽造防止印刷技術の適用例ではより鮮明に認識されるものとなった。
このように、地紋版に刷り合わせ版を組み込むことにより、前記図５の２つの適用例に比べて印刷工程を減らせることが確認された。
【００４５】
図８には、本偽造防止印刷技術によるイラスト版に第１のインキによる偽造防止版を組み込むと共に、地紋版に第２のインキによる刷り合わせ版を組み込む方法を、従来の印刷方法と対比させた工程例を示した。
まず、「これまでの印刷方法（従来型網点万線）」では、図中には記載していないが、黒系インキのみを用いて１５０線１５％の平網と４２線１５％の万線をベースに作製された網点万線の偽造防止版にてグレーに見える偽造防止印刷を行った。また、イラスト印刷は赤色で、地紋印刷は緑色で行った。
これに対し、本偽造防止印刷技術の適用例である「イラスト版に潜像版を組み込み、且つ地紋版に刷り合わせ版を組み込む方法」においては、イラスト版に、従来型と同様の１５０線１５％の平網と４２線１５％の万線をベースに作製された網点万線の潜像版を組み込み、赤色の偽造防止印刷を行った。さらに、地紋版に、１５０線１５％の平網からなる刷り合わせ版を組み込み、緑色の刷り合わせ印刷を行った。
同図より明らかなように本偽造防止印刷技術の適用例である「イラスト版に潜像版を組み込み、且つ地紋版に刷り合わせ版を組み込む方法」は、「これまでの印刷方法（従来型網点万線）」よりも少ない色数（少ない印刷回数）であって、でき上がり印刷物は見た目が全く同じであった。
そして、得られた印刷物をそれぞれカラーコピーした結果、「これまでの印刷方法（従来型網点万線」では黒色の潜像が現れたのに対し、本偽造防止印刷技術の適用例である「イラスト版に潜像版を組み込み、且つ地紋版に刷り合わせ版を組み込む方法」では、赤色の潜像が現れた。また、潜像として「無効」の文字を選択したので、複写が行われたこと、正当なものでないことが明確に表示され、特に色の着いた潜像が現れる本偽造防止印刷技術の適用例ではより鮮明に認識されるものとなった。
このように、イラスト版に潜像版を組み込み、且つ地紋版に刷り合わせ版を組み込むことにより、前記図６や図７の各適用例よりも更に一工程、即ちこれまでの印刷方法に比べても一工程の印刷工程を減らすことができる。
【００４６】
以上のように、「複写装置で再現可能な大きい点の集合体もしくは線群と、複写再現能力に満たない小さい点の集合体もしくは線群を組み合わせた偽造防止印刷を有彩色の第１のインキで形成すると共に、第１のインキと異なる有彩色の第２のインキで複写再現能力に満たない小さい点の集合体である平網を潜像とその背景となる領域に刷り合わせて、目視上、無彩色となるようにした偽造防止印刷技術」を用いて、偽造防止印刷１３０，２３０を施せば、配送伝票１００，２００のカラーコピーをとると、第１，第２任意情報印刷領域１２１，１２２あるいは任意情報印刷領域２２０に第１のインキ色の着いた潜像１３２，２３２が発現する。
【００４７】
次に、レリーフ調のエンボス模様を浮き上がらせる第２の偽造防止印刷技術について、図９〜図１１に基づき説明する。
【００４８】
（１）準備工程
まず、図９に示すようなステップで、同一面上で組み合わせる一方であるレリーフ調模様（組合せ用エンボス画像１ａ）を用意する。
【００４９】
すなわち、所定の図柄について、画像処理ソフトウエアによりエンボス処理をし、元となるエンボス画像を得る。この元となるエンボス画像は、５０％前後の面積率で現される無彩色の一様な背景中より上記所定の図柄が浮き出た画像として現れる。そして、この元となるエンボス画像の面積率について、画像処理ソフトウエア上で、偽造防止印刷物として適当な面積率（例えば、潜像２の面積率と一致する面積率）となるまで数値を下げ、同一面上で組み合わせようとするエンボス画像１ｏを得る（図９中の＜Ａ＞で指し示す画像を参照）。続いて、同一面上で組み合わせようとする潜像２の潜像画像２ｏを用意した上で（図９中の＜Ｂ＞で指し示す画像を参照）、これらを照らし合わせ、エンボス画像１ｏと潜像画像２ｏを重ねたときに重複する領域を抽出する。そして、潜像画像２ｏを重ねたときに重複する領域となるエンボス画像１ｏ上の図柄本体部１１、図柄背景部１２、光当部１３及び影部１４の一部を抜いて透明とし、エンボス画像１ｏから欠落させる。これにより、同一面上で潜像と組み合わせる組合せ用エンボス画像１ａを得ることができる（図９中の＜Ｃ＞で指し示す画像を参照）。
【００５０】
一方、図１０に示すようなステップで、同一面上で組み合わせる他方である複写装置で再現可能な線群（組合せ用潜像画像２ａ）を用意する。
【００５１】
すなわち、上述のようにして得られたエンボス画像１ｏを、面積率を基準にした特定の閾値で２階調化し、図柄本体部１１、図柄背景部１２及び影部１４と、光当部１３とを区別可能にした２階調化画像１ｂを得る（図１０中の＜Ｄ＞で指し示す画像を参照）。続いて、同一面上で組み合わせようとする潜像画像２ｏ（図１０中の＜Ｂ＞で指し示す画像を参照）を用意した上で、これらを照らし合わせ、２階調化画像１ｂと潜像画像２ｏを重ねたときに、２階調化画像１ｂにおける白部分（すなわち光当部１３）と重複する潜像画像２ｏ上の領域を抽出する。この白部分と重複する領域となる潜像画像２ｏ上の潜像形状の一部を抜いて透明とし、欠落させる。これにより、同一面上で組合せ用エンボス画像１ａと組み合わせる組合せ用潜像画像２ａを得ることができる（図１０中の＜Ｅ＞で指し示す画像を参照）。
【００５２】
（２）組み合わせ工程
次に、図１１に示すようなステップで、組合せ用エンボス画像１ａ及び組合せ用潜像画像２ａの同一面上での組み合わせを通じて、第２の偽造防止印刷技術を用いた偽造防止印刷物を得る。
【００５３】
すなわち、組合せ用エンボス画像１ａ及び組合せ用潜像画像２ａを同一面上で融合させて、偽造防止印刷物の元となる元画像Ｘを得る（図１１中の＜Ｆ＞で指し示す画像を参照）。次に、元画像Ｘを構成する組合せ用潜像画像２ａは、レリーフ調模様１（２階調化画像１ｂ）と重ねたときに光当部１３と重複する領域の潜像形状が欠落しているので、欠落させた潜像形状を復元するための復元用網点３からなる網点画像３ａを用意し（図１１中の＜Ｇ＞で指し示す画像を参照）、これを元画像Ｘと同一面上で融合する。これにより、組合せ用潜像画像２ａと網点画像３ａとが組み合わされ、欠落した形状に濃度を持たせて復元した潜像２ｂを含んだ偽造防止印刷物を作成するための偽造防止印刷画像Ｙを得ることができる（図１１中の＜Ｉ＞で指し示す画像を参照）。網点画像３ａは、データ処理が複雑化しないように、図柄本体部１１、図柄背景部１２と同じ線数の復元用網点３で形成されることが好ましい。
【００５４】
そして、得られた偽造防止印刷画像Ｙに基づいて偽造防止印刷版Ｐを作成し、この偽造防止印刷版Ｐで用紙に印刷することにより、偽造防止印刷物を製造することができる。製造した偽造防止印刷物をコピー機で複写して複写物を得ると、その複写物上には、復元した潜像２ｂが現れる（図１１中の＜Ｈ＞で指し示す画像を参照）。仮に、元画像Ｘから印刷物を得て、コピー機で複写して複写物を得ると、その複写物上には、形状の一部が欠落したままの組合せ用潜像画像２ａに基づいた潜像が現れることになる。
【００５５】
なお、偽造防止印刷物を構成するレリーフ調模様１の図柄本体部１１及び図柄背景部１２を形成する複写再現能力に満たない小さい点は、１７５線／インチの網点である。また、その面積率は、１５％である。影部１４は、１７５線／インチの網点で、その面積率を１０〜５０％として形成する。潜像２は、５０線／インチの万線で、その面積率を１５％として形成する。復元用網点３は、１７５線／インチの線数であり、その濃度を、潜像２の万線の一本の線の濃度の半分、すなわち、潜像２の万線の一本の線の５０％濃度とする。
【００５６】
したがって、第２の偽造防止印刷技術を適用して得た偽造防止印刷物は、レリーフ調模様１を構成する図柄本体部１１及び図柄背景部１２の面積率と、潜像２の面積率とが略一致しているので、コピー偽造対策を施した偽造防止印刷物として適用することができる。特に、その作成プロセスにおいて、潜像２の形状が欠落しないように、図柄本体部１１、図柄背景部１２、光当部１３及び影部１４の一部を欠落させた構成とすることで、レリーフ調模様１を組み合わせることによって生じかねないコピー偽造対策への悪影響、例えば、複写物上での潜像２の不鮮明化を防ぐことができる。
【００５７】
また、図柄本体部１１及び図柄背景部１２の面積率が同じであるので、立体的な図柄としてのレリーフ調模様１を二次元平面で印刷物上に表現することができる。その作成プロセスにおいて、光当部１３が欠落しないように、潜像２の一部を欠落させ（組合せ用潜像画像２ａ）、かつ、この組合せ用潜像画像２ａ欠落した潜像形状を所定の濃度を持たせて復元した潜像２ｂを組合せ用エンボス画像１ａと組み合わせて構成したので、レリーフ調模様１がたとえ複雑なモチーフであっても、美しく印刷物上に表現することができるようにしつつ、かつ、コピー偽造対策への悪影響を防ぐことができる。なお、図柄本体部１１及び図柄背景部１２が複写再現能力に満たない小さい点で構成されているので、印刷物上に現したレリーフ調模様１は、きめ細かに美しく再現されることとなる。
【００５８】
以上のように、「複写装置による複写再現能力に満たない小さい点で形成された図柄本体部と、この図柄本体部の背景であって、前記図柄本体部と共通した前記小さい点で、同じ面積率で形成される図柄背景部と、光が当たっているように見せることで前記図柄本体部が浮き出ているように感じさせる光当部と、影であるように見せることで前記図柄本体部が浮き出ているように感じさせる影部と、から構成され、全体として立体的な図柄が二次元平面で表現されるレリーフ調模様と、前記複写装置により再現可能な大きい点の集合体又は線群と、を、前記図柄本体部及び前記図柄背景部の面積率と、前記複写装置で再現可能な大きい点の集合体又は線群の面積率とを略一致させ、同一面上で組み合わせて構成するようにした第２の偽造防止印刷技術」を用いて、偽造防止印刷１３０，２３０を施せば、配送伝票１００，２００のカラーコピーをとると、第１，第２任意情報印刷領域１２１，１２２あるいは任意情報印刷領域２２０に立体的なレリーフ調模様の潜像１３２，２３２が発現する。
【００５９】
以上、本考案に係る配送伝票の実施形態を添付図面に基づいて説明したが、本考案は、これらの実施形態に限定されるものではなく、実用新案登録請求の範囲に記載の構成を変更しない範囲で、公知既存の等価な技術手段を転用することにより実施しても構わない。
【符号の説明】
【００６０】
１００    配送伝票
１１０    配送情報印刷領域
１２１    第１任意情報印刷領域
１２２    第２任意情報印刷領域
１３０    偽造防止印刷
１３１    背景
１３２    潜像
【図１】
0003228470.tif 000003
【図２】
0003228470.tif 000004
【図３】
0003228470.tif 000005
【図４】
0003228470.tif 000006
【図５】
0003228470.tif 000007
【図６】
0003228470.tif 000008
【図７】
0003228470.tif 000009
【図８】
0003228470.tif 000010
【図９】
0003228470.tif 000011
【図１０】
0003228470.tif 000012
【図１１】
0003228470.tif 000013